(57)【要約】【課題】余分な準備を必要とせず、記憶している画像を所望のタイミングで表示させることのできる映像表示装置を得る。【解決手段】入力映像信号に基づいて出力映像信号を生成する映像信号処理部３２と、映像信号処理部３２が出力する信号に基づいて画面表示を行う表示部と、所定の条件により出力映像信号に対応した画像データを格納する記憶部５１と、映像信号処理部３２の動作を制御する制御部２１とを備え、制御部２１は、所定の表示指示信号を受け取ると、記憶部２１に格納された画像データを読み取り、当該画像データを画面表示するように、映像信号処理部３２を制御することを特徴とする。【選択図】図５
2008102244.tif 000002
【特許請求の範囲】
【請求項１】
入力映像信号に基づいて出力映像信号を生成する映像信号処理部と、
前記映像信号処理部が出力する信号に基づいて画面表示を行う表示部と、
所定の条件により前記出力映像信号に対応した画像データを格納する記憶部と、
前記映像信号処理部の動作を制御する制御部とを備え、
前記制御部は、
所定の表示指示信号を受け取ると、前記記憶部に格納された画像データを読み取り、
当該画像データを画面表示するように、前記映像信号処理部を制御することを特徴とする映像表示装置。
【請求項２】
前記制御部は、
前記映像信号処理部への入力映像信号が未検出状態になった際に、
前記記憶部に格納された画像データを読み取り、
当該画像データを画面表示するように、前記映像信号処理部を制御することを特徴とする請求項１に記載の映像表示装置。
【請求項３】
前記制御部は、
所定の格納指示信号を受け取ると、前記映像信号処理部より、出力映像信号に対応する表示画像データを受け取り、
当該表示画像データを前記記憶部に格納することを特徴とする請求項１に記載の映像表示装置。
【請求項４】
前記制御部は、
前記記憶部に複数の前記画像データを格納し、
前記表示指示信号を受け取る毎に、
前記記憶部に格納された複数の画像データのうちの１件を、あらかじめ定められた順序に従って読み取り、当該画像データを画面表示するように、前記映像信号処理部を制御することを特徴とする請求項３に記載の映像表示装置。
【請求項５】
前記記憶部は、電源供給が遮断された際に、格納している前記画像データを消去するように構成されたことを特徴とする請求項３又は請求項４に記載の映像表示装置。
【請求項６】
請求項１ないし請求項５のいずれかに記載の映像信号処理部、記憶部、及び制御部と、
前記映像信号処理部が出力する信号に基づいて映像を投射する投射部とを備えたことを特徴とするプロジェクタ。
【発明の詳細な説明】
【技術分野】
【０００１】
本発明は、映像表示装置及びプロジェクタに関するものである。
【背景技術】
【０００２】
従来、画像表示装置において、『プレゼンテーションのシナリオ変更などを容易に行うことができる融通性のある画像表示システムを提供する。』ことを目的とした技術として、『画像表示装置は、順番が予め定められた画面からなる画像データを格納するメモリカードを装着するカードインタフェースを有し、画像データをアナログＲＧＢ信号に変換して液晶プロジェクタへ送出する。この画像表示装置はコンピュータにデジタルインタフェースを介して接続され、コンピュータから制御データ及び画像データを受信し、メモりカードからの画像データの読み出しや受信した画像データのアナログＲＧＢ信号への変換を実行する。』というものがある（特許文献１）。
【０００３】
【特許文献１】特開平１０−３３３８７０号公報（要約）
【発明の開示】
【発明が解決しようとする課題】
【０００４】
しかしながら、上記従来技術によれば、あらかじめメモリカードに画像データを記憶させておかなければならず、そのための準備の手間が余分に必要である。
また、例えば複数の人間が画像表示装置を使ってプレゼンテーションを行うような場合には、メモリカードを各人が持っているものに交換しなければならないことがあり、交換時に操作途中の画面を聴取者に晒してしまうのでみっともない、という課題もある。
本発明は、上記のような課題を解決するためになされたものであり、余分な準備を必要とせず、記憶している画像を所望のタイミングで表示させることのできる映像表示装置及びプロジェクタを得ることを目的とする。
【課題を解決するための手段】
【０００５】
本発明に係る映像表示装置は、入力映像信号に基づいて出力映像信号を生成する映像信号処理部と、前記映像信号処理部が出力する信号に基づいて画面表示を行う表示部と、所定の条件により前記出力映像信号に対応した画像データを格納する記憶部と、前記映像信号処理部の動作を制御する制御部とを備え、前記制御部は、所定の表示指示信号を受け取ると、前記記憶部に格納された画像データを読み取り、当該画像データを画面表示するように、前記映像信号処理部を制御する。
そのため、記憶部に格納している画像データを所望のタイミングで表示させることができ、視聴者に見せたくない画像を表示画面から隠すことが可能である。
【０００６】
また、本発明に係る映像表示装置において、前記制御部は、前記映像信号処理部への入力映像信号が未検出状態になった際に、前記記憶部に格納された画像データを読み取り、当該画像データを画面表示するように、前記映像信号処理部を制御する。
そのため、誤って映像入力端子を外してしまった際などに、画面がブラックアウトされたままで視聴者が待たされることがなくなり、ユーザの便宜に資する。
【０００７】
また、本発明に係る映像表示装置において、前記制御部は、所定の格納指示信号を受け取ると、前記映像信号処理部より、出力映像信号に対応する表示画像データを受け取り、当該表示画像データを前記記憶部に格納する。
そのため、あらかじめ画像データを準備しておく必要がなく、表示部が画面表示している映像の任意の場面を上記画像データとして利用できる。これにより、映像表示装置のユーザに過度な準備負担をかけることがなく、ユーザフレンドリーな映像表示装置を提供することができる。
【０００８】
また、本発明に係る映像表示装置において、前記制御部は、前記記憶部に複数の前記画像データを格納し、前記表示指示信号を受け取る毎に、前記記憶部に格納された複数の画像データのうちの１件を、あらかじめ定められた順序に従って読み取り、当該画像データを画面表示するように、前記映像信号処理部を制御する。
そのため、記憶部に複数の画像データを保存させておくことにより、ユーザにとって画面表示の選択肢が増す。
【０００９】
また、本発明に係る映像表示装置において、前記記憶部は、電源供給が遮断された際に、格納している前記画像データを消去するように構成されている。
そのため、映像表示装置を使用する者が不特定であるような環境において、機密資料等の画像を保存済み画像データとして残したままにしてしまう可能性がなくなるので、データセキュリティの観点から好ましい。さらには、保存済み画像データを自動的に消去するための外部機構や処理を要さず、コストの観点からも有利である。
【００１０】
また、本発明に係るプロジェクタは、上記に記載の映像信号処理部、記憶部、及び制御部と、前記映像信号処理部が出力する信号に基づいて映像を投射する投射部とを備えている。
そのため、上記映像表示装置と同様の効果を奏するプロジェクタを得ることができる。
【発明を実施するための最良の形態】
【００１１】
実施の形態１．
図１は、本発明の実施の形態１に係る映像表示装置の構成を示すブロック図である。
図１の映像表示装置１は、本実施の形態１に係る映像表示装置であり、液晶パネル駆動部１１、液晶パネル１２、制御部２１、映像入力部３１、映像信号処理部３２、フレームメモリ３３、操作パネル４１、操作信号処理部４２、記憶部５１を備える。
【００１２】
液晶パネル駆動部１１は、映像信号処理部３２の出力する出力映像信号に応じて、液晶パネル１２を駆動する。
液晶パネル１２は、ユーザに視聴映像を提供する画面表示部である。
本実施の形態１における「表示部」は、液晶パネル駆動部１１と液晶パネル１２がこれに該当する。
【００１３】
制御部２１は、映像信号処理部３２の動作を制御するための信号を、映像信号処理部３２に出力する。また、操作信号処理部４２より受け取った操作信号に基づき、対応する制御動作を実行する。
さらに、記憶部５１が格納している画像データを読み出し、当該画像データを画面表示するように、映像信号処理部３２を制御する。詳細は後述する。
制御部２１は、例えばマイコンやＤＳＰ（Ｄｉｇｉｔａｌ  Ｓｉｇｎａｌ  Ｐｒｏｃｅｓｓｏｒ）のような演算装置で構成することができる。
【００１４】
映像入力部３１は、映像表示装置１の外部機器等から与えられる映像信号を受け取り、アナログ映像信号であればデジタル映像信号に変換するなどの処理を施して、映像信号処理部３２に出力する。
映像信号処理部３２は、映像入力部３１からの入力映像信号を１フレーム（１画面）毎にフレームメモリ３３に記憶させるとともに、フレームメモリ３３に記憶された映像（以下、フレーム映像ともいう）を読み出す機能を有し、入力映像信号と制御部２１の指示に基づいてデジタルの出力映像信号を生成して液晶パネル駆動部１１に出力する。
映像信号処理部３２は、マイクロプロセッサ等により構成され、内蔵したプログラムを実行することにより、上記の処理を行う。
【００１５】
映像入力部３１に入力される映像信号の供給源としては、例えばＴＶチューナーからの放送映像信号や、ＶＴＲ機器からの録画映像信号、コンピュータの映像出力端子から出力される映像信号、等がある。
また、映像入力部３１の具体的な構成としては、入力映像信号の種類等に応じて、ピン端子やコンポジット入力端子、Ｓ端子などの一般的なＡＶ端子の他、同軸ケーブルの入力端子、赤外線入力部、等の構成とすることができる。
【００１６】
操作パネル４１は、映像表示装置１の本体筐体の外面に設けられ、ユーザの操作情報を受け付けるためのものである。具体的な構成は、後述の図２で説明する。
ユーザが操作パネル４１に配置されたキーを押下等すると、それに対応した操作信号が操作信号処理部４２に出力される。
また、リモコンＲＣも操作パネル４１と同様にユーザの操作情報を受け付け、それに対応した操作信号を無線通信により操作信号処理部４２に出力する。
操作信号処理部４２は、操作パネル４１やリモコンＲＣが出力した操作信号を受け取り、デジタル信号に変換するなどの処理を施して、制御部２１に出力する。
本実施の形態１における「操作部」は、操作パネル４１、操作信号処理部４２、及びリモコンＲＣがこれに該当する。
【００１７】
記憶部５１は、制御部２１の指示に基づいて後述する画像データを格納し、もしくは制御部２１の指示に基づいて、格納している画像データを制御部２１に出力する。
記憶部５１は、電源ＯＦＦ時に記憶している内容を自動的に消去するＲＡＭ（Ｒａｎｄｏｍ  Ａｃｃｅｓｓ  Ｍｅｍｏｒｙ）等により構成される。
【００１８】
図２は、操作パネル４１の外観構成を示すものである。
操作パネル４１は、少なくともメモ表示キー４１ａとメモ記憶キー４１ｂを備える。その他の一般的な操作キーについては説明を省略する。
ユーザがメモ表示キー４１ａを押下すると、制御部２１が記憶部５１に格納されている画像データを読み出して映像信号処理部３２に出力し、当該画像データを画面表示するように指示を出す。
また、ユーザがメモ記憶キー４１ｂを押下すると、制御部２１がフレームメモリ３３に格納されている１フレーム分の画像データを読み出し、記憶部５１に格納する。
より詳細な説明は、後述の図４を用いて行う。
【００１９】
次に、ユーザの視点から見た映像表示装置１の動作について、次の図３を用いて説明する。
【００２０】
図３は、映像表示装置１を用いてビデオ上映を行う場合における、ユーザから見た映像表示装置１の動作を説明するものである。
ここでは、ビデオ１〜ビデオ３の３本のＶＴＲテープが事前に準備されており、途中で休憩を挟みながら、ビデオ１〜ビデオ３の順で上映を行うことを想定する。
ビデオの上映者としては、ＶＴＲテープの交換時や休憩中に、当日の進行表を画面表示させておくことで視聴者の便宜を図るとともに、ＶＴＲテープ交換時などに入力映像が途切れて、画面が一時的であってもブラックアウトしてしまうみっともない事態を回避したいと考えている。
そこで、本実施の形態１に係る映像表示装置１の機能を利用して、上記のような要求を満たすことを考える。以下、映像表示装置１の動作を時系列順に説明する。
【００２１】
（１）ビデオ上映開始：ビデオの上映者は、１本目のＶＴＲテープ（＝ビデオ１）の上映を開始する。ビデオ１の冒頭部分には、当日の進行表の映像を入れておく。進行表の表示時間は、例えば１０秒程度でよい。
（２）メモ記憶キー押下：ビデオの上映者は、当日の進行表の映像が画面表示されている間に、メモ記憶キー４１ｂを押下する。この操作により、このとき表示されている進行表の静止画像が、記憶部５１に格納される。
（３）ビデオ１の内容を上映：当日の進行表の映像が終了した後、ビデオ１の内容が引き続き上映される。
（４）メモ表示キー押下：ビデオの上映者は、ビデオ１の上映時間が終了した後、画面がブラックアウトする前に、メモ表示キー４１ａを押下する。
（５）記憶した画像を表示：上記（４）の操作により、記憶部５１に格納されている進行表の静止画像が読み出され、画面表示される。
休憩中は、進行表の静止画像を画面表示させておき、視聴者の便宜を図るとともに、ブラックアウト画面を視聴者に見せないようにする。
（６）メモ表示キー押下：ビデオの上映者は、２本目のＶＴＲテープ（＝ビデオ２）をセットして上映を開始する。上映が始まると、メモ表示キーを押下して、進行表の表示を解除する。
（７）ビデオ２の内容を上映：ビデオ２の内容が引き続き上映される。
（８）メモ表示キー押下：ビデオの上映者は、ビデオ２の上映時間が終了した後、画面がブラックアウトする前に、メモ表示キー４１ａを押下する。
（９）記憶した画像を表示：上記（８）の操作により、記憶部５１に格納されている進行表の静止画像が読み出され、画面表示される。
昼食中は、進行表の静止画像を画面表示させておき、視聴者の便宜を図るとともに、ブラックアウト画面を視聴者に見せないようにする。
（１０）メモ表示キー押下：ビデオの上映者は、３本目のＶＴＲテープ（＝ビデオ３）をセットして上映を開始する。上映が始まると、メモ表示キーを押下して、進行表の表示を解除する。
（１１）ビデオ３の内容を上映：ビデオ３の内容が引き続き上映される。
【００２２】
図４は、ユーザがメモ記憶キー４１ｂを押下した際の、映像表示装置１の内部動作を表すフローである。以下、各ステップの処理内容について説明する。
（Ｓ４０１）ユーザが操作パネル４１のメモ記憶キー４１ｂを押下すると、メモ記憶キー４１ｂに対応した操作信号が操作信号処理部４２に出力される。（Ｓ４０２）操作信号処理部４２は、操作パネル４１より受け取った操作信号をデジタル化処理するなどして制御部２１が処理可能な形式に変換し、制御部２１に出力する。（Ｓ４０３）制御部２１は、メモ記憶キー４１ｂが押下された旨の信号を操作信号処理部４２より受け取ると、これを画像データの格納指示信号と解釈する。次に、制御部２１は、記憶部５１にアクセスして保存済み画像データが存在するか否かを確認する。保存済み画像データが存在すればステップＳ４０４へ、存在しなければステップＳ４０５へ進む。（Ｓ４０４）制御部２１は、記憶部５１に格納されている保存済み画像データを削除する。削除に際しては、格納しているビット列データを全て消去するようにしてもよいし、あるいは上書き可能である旨のフラグを所定の領域に立てるなどして、論理的に削除するようにしてもよい。実際には、記憶部５１に用いるＲＡＭ等の部品の使用や記憶方式に応じて適切な方法を用いればよい。（Ｓ４０５）制御部２１は、フレームメモリ３３に格納されている１フレーム分の画像データを取得する。取得に際しては、映像信号処理部３２を介してもよいし、別途バス等を設けて直接フレームメモリ３３にアクセスしてもよい。
次に、制御部２１は、フレームメモリ３３より取得した画像データを記憶部５１に格納する。格納に際しては、記憶部５１への格納に適したフォーマットに適宜変換する。
例えば、記憶部５１の容量が十分であればビットマップ形式の画像データをビット列として格納してもよいし、演算性能に余裕があれば、ＪＰＥＧ形式等の圧縮画像データ形式に変換した後に、変換後の画像データをビット列として格納するようにしてもよい。
一般的には、メモ記憶キー４１ｂ押下時の処理はリアルタイム性を要求しない場合がほとんであると思われるので、制御部２１に過度の負荷を与えないようにバックグラウンドで処理しても特段の問題はなく、記憶容量の節約の観点から圧縮画像データ形式に変換した後に格納する方が好ましいと考えられる。
【００２３】
図５は、ユーザがメモ表示キー４１ａを押下した際の、映像表示装置１の内部動作を表すフローである。以下、各ステップの処理内容について説明する。（Ｓ５０１）ユーザが操作パネル４１のメモ表示キー４１ａを押下すると、メモ表示キー４１ａに対応した操作信号が操作信号処理部４２に出力される。（Ｓ５０２）操作信号処理部４２は、操作パネル４１より受け取った操作信号をデジタル化処理するなどして制御部２１が処理可能な形式に変換し、制御部２１に出力する。（Ｓ５０３）制御部２１は、メモ表示キー４１ａが押下された旨の信号を操作信号処理部４２より受け取ると、これを画像データの表示指示信号と解釈する。次に、制御部２１は、映像信号処理部３２が現在出力している出力映像信号が、映像入力部３１より入力された入力映像信号に基づいたものであるか否か、即ち入力映像を投射中であるか否かを判断する。入力映像を投射中でない場合は、記憶部５１が格納している画像データを画面表示していることになる。判断に際しては、例えば内部的に構成したステートマシンの状態を参照するなど、適宜好ましい方法を用いればよい。映像信号処理部３２の現在の出力映像信号が入力映像信号に基づいたものでない場合はステップＳ５０４へ進み、入力映像信号に基づいたものである場合はステップＳ５０５へ進む。（Ｓ５０４）制御部２１は、映像信号処理部３２に対して、映像入力部３１より入力された入力映像信号に基づいて出力映像信号を生成すべき旨の指示を出す。映像信号処理部３２は、制御部２１の指示により、映像入力部３１より入力された入力映像信号に基づいて出力映像信号を生成し、液晶パネル駆動部１１に出力する。液晶パネル駆動部１１は、映像信号処理部３２が出力した信号に基づいて液晶パネル１２を駆動する。
以上の処理により、液晶パネル１２には映像入力部３１より入力された入力映像信号に基づく画像、即ち図３の例で言えばＶＴＲテープに記録された映像が、ユーザに表示される。
以後は、メモ表示キー４１ａ押下時の動作フローを終了し、映像を上映しつつユーザの操作入力を待機する。（Ｓ５０５）制御部２１は、記憶部５１を参照し、メモ記憶キー４１ｂの押下による保存済み画像データが存在するか否かを判断する。保存済み画像データが存在しなければ、メモ表示キー４１ａ押下時の動作フローを終了する。保存済み画像データが存在すれば、ステップＳ５０６へ進む。（Ｓ５０６）制御部２１は、映像信号処理部３２に対して、記憶部５１が格納している保存済み画像データに基づいて出力映像信号を生成すべき旨の指示を出す。保存済み画像データ自体の受け渡しは、制御部２１を介して行ってもよいし、別途バス等を設けて映像信号処理部３２が直接記憶部５１にアクセスしてもよい。映像信号処理部３２は、制御部２１の指示に基づき、記憶部５１が格納している保存済み画像データに基づいて出力映像信号を生成し、液晶パネル駆動部１１に出力する。液晶パネル駆動部１１は、映像信号処理部３２が出力した信号に基づいて液晶パネル１２を駆動する。
以上の処理により、液晶パネル１２には記憶部５１が格納している保存済み画像データに基づく画像、即ち図３の例で言えば進行表の静止画像が、ユーザに表示される。
【００２４】
次に、図１に示した構成の詳細について補足説明を行う。
【００２５】
以上の説明において、記憶部５１を構成する具体的な部品の例としてＲＡＭを示した。このＲＡＭは、映像表示装置１自体の動作に用いるＲＡＭと共有することが望ましい。別途メモ記憶キー４１ｂ押下時専用のＲＡＭを設けると、コストアップにつながるからである。
また、メモ記憶キー４１ｂ押下時に格納する画像データのために消費する記憶容量であるが、圧縮処理を行わない場合であれば、ＸＧＡフルカラー１画面分で２．３ＭＢ程度を要する。ＪＰＥＧなどの圧縮画像データ形式を用いれば、この１０分の１程度の容量で収まるため、ＲＡＭのコストの観点から、圧縮画像データ形式を用いることが望ましいと言える。
【００２６】
なお、記憶部５１を構成する部品としてフラッシュメモリやＨＤＤを用いることも考えられるが、これらは不揮発性記憶部品であるため、映像表示装置１の電源ＯＦＦ後も記憶部５１に格納している保存済み画像データが残ることになる。
映像表示装置１を使用する者が不特定であるような環境を考慮すると、機密資料等の画像を保存済み画像データとして残したままにしてしまう可能性があることは好ましくないため、記憶部５１への電源供給が遮断された際に、格納している画像データを消去するように構成することが好適である。
もっとも、フラッシュメモリやＨＤＤを用いた場合であっても、電源ＯＦＦ時に保存済み画像データを自動的に削除する処理を組み込んでおけばかかる問題は生じないが、そのための実装コストが別途必要であることに加え、共用ＲＡＭ以外に別途これらの記憶部品を設けることがコストアップにつながる点は、製品設計時等に考慮する必要がある。
【００２７】
本実施の形態１においては、メモ表示キー４１ａを押下することにより、記憶部５１に格納されている保存済み画像を画面表示し、もう一度メモ表示キー４１ａを押下することにより、映像入力部３１への入力映像信号に基づく映像を画面表示することとした。
操作キーの構成は、これに限られるものではなく、例えば図２において、「映像表示」キーのようなものを別途設け、これを押下した際に、映像入力部３１への入力映像信号に基づく映像を画面表示することとしてもよい。
【００２８】
また、上述の説明において、操作パネル４１を用いて記憶部５１に格納した画像データを画面表示するか否かを切り替える構成を説明したが、映像表示装置１に画面表示を切り替えるべき旨の指示を与える方法は、操作キーに限られるものではなく、リモコンＲＣに同様のキーを設けて、同様の操作を行うようにしてもよい。
また、例えば映像表示装置１にネットワークインターフェースを設け、所定のパケットを送信することにより、画面表示を切り替えるように構成することもできる。
即ち、映像表示装置１に何らかの手段でもって指示信号を与えることができれば、以後の処理は同様であるため、指示を受け付ける部分の機能や構成は、本実施の形態１において説明したものに限定されるものではない。
【００２９】
以上のように、本実施の形態１によれば、簡単なキー操作のみで表示画面に対応する画像データを記憶部５１に取り込み、またその画像データを所望のタイミングで表示させることができるので、映像表示装置１のユーザにとって容易な操作で、上記従来技術と同様の効果を奏することができる。
【００３０】
実施の形態２．
図６は、本発明の実施の形態２に係る映像表示装置の一例としてのプロジェクタの構成を示すブロック図である。
図６に示すプロジェクタ２の構成は、画面表示部分の構成を除いて図１の構成と同様であるため、同様の機能を有する構成部分には同様の符号を付して説明を省略する。
以下、図１との相違点のみを説明する。
【００３１】
プロジェクタ２は、図１における液晶パネル駆動部１１と液晶パネル１２に替えて、光源１３、液晶ライトバルブ駆動部１４、液晶ライトバルブ１５Ｒ、１５Ｇ、及び１５Ｂ、投射光学系１６を備える。また、プロジェクタ２の外部（投射光学系１６の正面の位置）に、スクリーンＳＣを設置している。
【００３２】
光源１３は、最終的にユーザへ表示する映像のための光源供給部であり、液晶ライトバルブ１５Ｒ、１５Ｇ、及び１５Ｂに向けて光を射出する。
液晶ライトバルブ駆動部１４は、映像信号処理部３２が出力する出力映像信号に基づいて、液晶ライトバルブ１５Ｒ、１５Ｇ、及び１５Ｂを駆動する。
液晶ライトバルブ１５Ｒ、１５Ｇ、及び１５Ｂは、複数の図示しない画素がマトリクス状に形成されており、液晶ライトバルブ駆動部１４により各画素の透過率が調整されることにより、光源１３から射出された光を変調し、投射光学系１６に向けて射出する。
液晶ライトバルブ１５Ｒ、１５Ｇ、及び１５Ｂから射出された光は、投射光学系１６によってスクリーンＳＣ上に拡大投射される。
投射光学系１６には、投射光の焦点を変更可能なフォーカス機構と、投射光の拡大率を変更可能なズーム機構とが備えられている。
【００３３】
本実施の形態２における「表示部」は、光源１３、液晶ライトバルブ駆動部１４、液晶ライトバルブ１５Ｒ、１５Ｇ、及び１５Ｂ、投射光学系１６がこれに該当する。
【００３４】
なお、映像入力部３１への入力映像信号は実施の形態１と同様であるが、プロジェクタの用途としてパーソナルコンピュータ（ＰＣ）の表示画面を投射することが多いと思われるため、図６に示すようにＰＣ３の映像出力端子に対応した映像入力端子を備えることが望ましい。
【００３５】
プロジェクタ２の動作は、原則として実施の形態１の図３〜図５で説明したものと同様であるため、説明を省略する。
プロジェクタ２を用いることにより、例えばＰＣを用いたプレゼンテーションを行う際などに、講演者の交代時に記憶部５１が格納している画像データを表示させておくことができるため、操作途中のＰＣ画面を聴講者に晒してしまうようなことがなくなる。
【００３６】
以上のように、本実施の形態２によれば、実施の形態１で説明した映像表示装置１と同様の効果を奏するプロジェクタを得ることができる。
【００３７】
実施の形態３．
上述の実施の形態１〜２では、メモ記憶キー４１ｂ押下時の画像データ保存件数は、１件のみであることを前提として説明した。
本発明の実施の形態３においては、画像データの保存件数を複数にした場合の動作について説明する。なお、本実施の形態３で説明する動作の適用対象は、実施の形態１で説明した映像表示装置１、実施の形態２で説明したプロジェクタ２のいずれでもよい。
【００３８】
本実施の形態３においては、記憶部５１で複数の画像データを格納可能であるが、件数に上限が設けられているものとする。
【００３９】
図７は、ユーザがメモ記憶キー４１ｂを押下した際の内部動作を表すフローである。以下、各ステップの処理内容について説明する。（Ｓ７０１）〜（Ｓ７０２）図４のステップＳ４０１〜Ｓ４０２と同様であるため、説明を省略する。（Ｓ７０３）制御部２１は、メモ記憶キー４１ｂが押下された旨の信号を操作信号処理部４２より受け取ると、これを画像データの格納指示信号と解釈する。次に、制御部２１は、記憶部５１にアクセスして、保存済み画像データ件数が規定数に達しているか否かを確認する。規定数に達していればステップＳ７０４へ、達していなければステップＳ７０５へ進む。（Ｓ７０４）制御部２１は、記憶部５１に格納されている保存済み画像データを１件削除する。この際、最も古い画像データを削除することが好ましい。（Ｓ７０５）
図４のステップＳ４０５と同様であるため、説明を省略する。
【００４０】
ここでは、記憶部５１に格納する画像データの件数に制限を設けることとしたが、件数で制限を設ける代わりに、例えば記憶容量で制限を設けてもよい。
【００４１】
図８は、ユーザがメモ表示キー４１ａを押下した際の内部動作を表すフローである。以下、各ステップの処理内容について説明する。
なお、ここでは記憶部５１が画像データを記憶可能な件数を２件と仮定する。（Ｓ８０１）〜（Ｓ８０２）図５のステップＳ５０１〜Ｓ５０２と同様であるため、説明を省略する。（Ｓ８０３）制御部２１は、内部的に構成しているステートマシン等が保持する画面表示ステータス値を更新する。画面表示ステータス値は「０」「１」「２」の３通りの整数値を取り、ユーザがメモ表示キー４１ａを押下する度に値を１ずつ増加させる。値が「２」の状態でメモ表示キー４１ａを押下した場合は、値を「０」に戻す。（Ｓ８０４）制御部２１は、画面表示ステータス値に応じて、以下の（Ｓ８０５）〜（Ｓ８０７）の処理を行う。（Ｓ８０５）制御部２１は、画面表示ステータス値が「０」の場合は、映像信号処理部３２に対して、映像入力部３１より入力された入力映像信号に基づいて出力映像信号を生成すべき旨の指示を出す。（Ｓ８０６）制御部２１は、画面表示ステータス値が「１」の場合は、映像信号処理部３２に対して、記憶部５１が格納している１件目の保存済み画像データに基づいて出力映像信号を生成すべき旨の指示を出す。記憶部５１が画像データを格納していない場合は、映像入力部３１より入力された入力映像信号に基づいて出力映像信号を生成すべき旨の指示を出す。（Ｓ８０７）制御部２１は、画面表示ステータス値が「２」の場合は、映像信号処理部３２に対して、記憶部５１が格納している２件目の保存済み画像データに基づいて出力映像信号を生成すべき旨の指示を出す。記憶部５１が画像データを格納していない場合は、映像入力部３１より入力された入力映像信号に基づいて出力映像信号を生成すべき旨の指示を出す。記憶部５１が画像データを１件のみ格納している場合は、１件目の保存済み画像データに基づいて出力映像信号を生成すべき旨の指示を出す。
【００４２】
以上説明したように、記憶部５１に複数の画像データを保存する場合は、ユーザにとって画面表示の選択肢が増すものの、キー操作等により画面表示したい画像を選択する操作が余分に必要となる。そのため、保存件数はあまり多くせず、ユーザに過度な操作負担をかけないように留意することが望ましい。
【００４３】
なお、図８において、メモ表示キー４１ａを押下する毎に画面表示ステータス値を更新する旨を説明した。これにより、メモ表示キー４１ａのみで画像データの選択が可能であるが、画像データの格納可能件数に応じて操作キーを個別に設けても、本発明の効果を損なうものではないことを付言しておく。
【００４４】
上述の実施の形態１〜３において、メモ表示キー４１ａ押下時に、記憶部５１が格納している画像データを表示させることとしたが、その他のタイミングで画像データを表示させることも可能である。
例えば、映像信号処理部３２への入力映像信号の供給が途絶えた際に、画面がブラックアウトされてしまうことを防ぐため、記憶部５１が格納している画像データを表示させてもよい。これにより、誤って映像入力端子を外してしまった際などに、画面がブラックアウトされたままで視聴者が待たされることがなくなり、ユーザの便宜に資する。
【００４５】
以上のように、本実施の形態３によれば、記憶部５１に複数の画像データを保存させておくことにより、ユーザにとって画面表示の選択肢が増す。その分、ユーザの操作量が増加するものの、記憶件数を極端に増やさなければ、メモ表示キー４１ａを何度か押下する程度の操作で画像データを選択することができるため、ユーザにとってさほどの負担増とはならない。
【図面の簡単な説明】
【００４６】
【図１】実施の形態１に係る映像表示装置の構成を示すブロック図である。
【図２】操作パネル４１の外観構成を示すものである。
【図３】ユーザから見た映像表示装置１の動作を説明するものである。
【図４】ユーザがメモ記憶キー４１ｂを押下した際の内部動作を表すフローである。
【図５】ユーザがメモ表示キー４１ａを押下した際の内部動作を表すフローである。
【図６】実施の形態２に係るプロジェクタの構成を示すブロック図である。
【図７】ユーザがメモ記憶キー４１ｂを押下した際の内部動作を表すフローである。
【図８】ユーザがメモ表示キー４１ａを押下した際の内部動作を表すフローである。
【符号の説明】
【００４７】
１  映像表示装置、２  プロジェクタ、３  ＰＣ、１１  液晶パネル駆動部、１２  液晶パネル、１３  光源、１４  液晶ライトバルブ駆動部、１５Ｒ  液晶ライトバルブ、１５Ｇ  液晶ライトバルブ、１５Ｂ  液晶ライトバルブ、１６  投射光学系、２１  制御部、３１  映像入力部、３２  映像信号処理部、３３  フレームメモリ、４１  操作パネル、４２  操作信号処理部、５１  記憶部、４１ａ  メモ表示キー、４１ｂ  メモ記憶キー、ＳＣ  スクリーン。
【図１】
2008102244.tif 000003
【図２】
2008102244.tif 000004
【図３】
2008102244.tif 000005
【図４】
2008102244.tif 000006
【図５】
2008102244.tif 000007
【図６】
2008102244.tif 000008
【図７】
2008102244.tif 000009
【図８】
2008102244.tif 000010